(57)【特許請求の範囲】
【請求項１】
送信すべきデータにその内容に対応して色を割り当てる手段と該割り当てられた色を有する図形を表示する手段とを有する映像表示装置と、前記表示された図形を光学的に読み取る手段と前記送信すべきデータを再生すべく読み取られた図形の色を分析する手段とを有する受光装置とを具備してなり、前記映像表示装置から前記受光装置へデータ伝送を行い、かつ前記受光装置から前記映像表示装置にフィードバック信号を送ることを特徴とする自動調整システム。
【請求項２】
前記受光装置は、前記映像表示装置と同期して動作するタイミング回路と、該タイミング回路から出力されるタイミング信号に同期して受光した光の直流レベルを検出する手段と、検出した直流レベルを所定の値と比較する手段とを備えて、ＯＳＤ光と外光とを識別する外光識別回路を具備したことを特徴とする請求項１に記載の自動調整システム。
【請求項３】
前記データは、３ビットデータで各ビットがＲ,Ｇ,Ｂの色信号にそれぞれ対応付けられ、時分割にてデータを判別することを特徴とする請求項１または２に記載の自動調整システム。
【発明の詳細な説明】
【０００１】
【産業上の利用分野】
本発明は、ＣＲＴや液晶ディスプレイ等の表示画面を有する映像表示装置と他の装置との間のデータ伝送を実行するシステムに関する。
【０００２】
【従来の技術】
映像表示装置の内部情報を他の装置に送る場合、従来、図３（ａ）に示すようにケーブルで２つの装置を接続するか、あるいは図３（ｂ）に示すように赤外線や超音波等により無線で信号を送信している。
【０００３】
【発明が解決しようとする課題】
しかしながら、ケーブルで装置間を接続する場合、空間的制約があり、また、煩雑な接続作業が発生するという問題がある。また、無線で信号を送信する場合には、専用の送信回路を設ける必要があり、コスト上の問題が発生する。
【０００４】
本発明の目的は、ケーブルで装置間を接続したり、特別の送信装置を設けることなく、映像表示装置と他の装置との間のデータ伝送を可能にすることを目的とする。
【０００５】
【課題を解決するための手段】
本発明では、送信すべきデータにその内容に対応して色を割り当てる手段と該割り当てられた色を有する図形を表示する手段とを有する映像表示装置と、前記表示された図形を光学的に読み取る手段と前記送信すべきデータを再生すべく読み取られた図形の色を分析する手段とを有する受光装置とを具備してなり、前記映像表示装置から前記受光装置へデータ伝送を行い、かつ前記受光装置から前記映像表示装置にフィードバック信号を送るようにしている。
【０００６】
また本発明では、前記受光装置は、前記映像表示装置と同期して動作するタイミング回路と、該タイミング回路から出力されるタイミング信号に同期して受光した光の直流レベルを検出する手段と、検出した直流レベルを所定の値と比較する手段とを備えて、ＯＳＤ光と外光とを識別する外光識別回路を具備している。
【０００７】
また本発明では、前記データは、３ビットデータで各ビットがＲ，Ｇ，Ｂの色信号にそれぞれ対応付けられ、時分割にてデータを判別する。
【０００８】
本発明では、映像表示装置に表示された映像は、受光装置により受光され、その色が分析され、データが再生される。
【０００９】
また本発明では、受光した光のレベルを所定の値と比較し、映像表示装置に表示された図形の光であるか、または、外部光であるかを識別する。
【００１０】
また本発明では、３ビットデータの各ビットをＲ，Ｇ，Ｂに対応させ、３ビットパラレルデータの送信を可能にする。
【００１１】
【実施例】
以下、本発明のデータ伝送システムの実施例を図面を参照しながら説明する。
【００１２】
図１において、１０は、Ｒ，Ｇ，Ｂの色信号を用いてカラー画像を表示することができるＣＲＴや液晶ディスプレイなどからなる表示部１１を有する映像表示装置であり、１５は、該映像表示装置１０から送られるデータを処理し、フィードバック信号を映像表示装置１０に供給するデータ処理装置である。
【００１３】
映像表示装置１０の内部情報は、装置内部のエンコーダ１２に送られ、ＯＳＤ（オン・スクリーン・データ）信号に変換される。この際、内部情報がアナログ信号の場合、該エンコーダに配置されているＡ／Ｄコンバータによりデジタル信号に変換してからＯＳＤ信号に変換する。ＯＳＤ信号は、ＯＳＤ表示制御部１３に送られ、ビデオ信号に変換されて画面に表示される。
【００１４】
ＯＳＤ信号は、Ｒ、Ｇ、Ｂに対応するように３ビット毎に区切られたビット列からなる信号である。
【００１５】
例えば、信号「０１１」は、Ｒ＝０、Ｇ＝１，Ｂ＝１を意味し、シアンに対応する。また、図４に示すように、信号「１００１１０１０１１１１」は、（１００）（１１０）（１０１）（１１１）と区切られ、（赤）（黄）（マゼンタ）（白）として表される。
【００１６】
上記のＯＳＤ信号は、表示部１１に四角形の図形として表示される。これは、映像表示装置１０内のＯＳＤ信号記憶用のメモリ容量が小さくて済み、且つ発光期間を長くすることができるからである。メモリ容量に余裕があれば四角形を上下に２分割したり、あるいは４分割して送信データ量を増やすことも可能である。
【００１７】
図６に示すように、表示部１１において、横方向に２４キャラクタ、縦方向に１２キャラクタ表示すれば、１秒間に２４×１２×３×６０＝５１８４０ビットを伝送することができる。
【００１８】
この場合、図７に示すように、１垂直走査周期中には、５２５／２＝２６２．５本の走査線が含まれるので、各四角形は、２６２．５／１２、即ち約２１．８本の走査線から形成されることになる。尚、図５に示すように、表示される四角形のうち、最上部のライン上にあるものは、次の送信と前の送信を区別するブランキング期間を形成するように全て黒にしている。
【００１９】
表示部１１に表示された四角形の映像は、ＯＳＤ光としてデータ処理装置１５のＯＳＤ受光部１６により受光される。図２にＯＳＤ受光部の詳細を示す。ＯＳＤ光は、集光レンズ２０により、平行光とされ、特定の色の光のみを通過させる素子、例えば、ダイクロイックミラーからなるＲＧＢ選別部２１により、Ｒ、Ｇ、Ｂの各色の光に分離される。分離されたＲ，Ｇ，Ｂの各光は、ＣＣＤのような素子から構成される光検出器２２によりそれぞれ電気信号に変換される。各光検出器は、光を検出すると「１」を出力する。、例えば、（赤）（黄）（マゼンタ）（白）という光が映像表示装置１０から順に送られたとすると、光検出器２２からは、（ＲＧＢ）＝（１００）（１１０）（１０１）（１１１）という信号が外光識別回路２４に送られる。
【００２０】
外光識別回路２４は図９に示すように光検出器２２から出力される信号をリミッター回路を介し方形波に波形整形した後、映像表示装置１０と同期して動作するタイミング回路２３からのタイミング信号と同期しているかを判定し、受光した光がＯＳＤ光であるか、背景の光（外光）であるかを識別する。
【００２１】
また、図１０に示すように、ブランキング期間に検出される直流レベル（即ち外光のレベル）の平均値に対応してリミッター回路のスレッショルドレベルを変化させる機能を有する。
【００２２】
例えば、図１０（ａ）のように外光の直流レベルＥ１の時、リミッター回路のスレッショルドレベルＥ２によって正常に波形整形が行えているとする。今、図１０（ｂ）のように外光の直流レベルがＥ１からＥ３に変化したとすると、リミッタ回路のスレッショルドレベルがＥ２のまま変化しなければ整形された波形はタイミング信号と同期がずれてしまう。そこでスレッショルドレベルを外光直流レベルに対応してＥ２からＥ４に変えることにより正常な波形整形が行える。
【００２３】
ここで、映像表示装置１０がテレビジョン受像機であり、データ処理装置１５がテレビジョン受像機用の自動調整機であり、ＯＳＤ信号として、テレビジョン受像機が、そのＡＧＣの出力電圧の値を自動調整機に送信する場合を考える。ＡＧＣ電圧は、０Ｖから９Ｖの範囲で変化するものとする。０Ｖを（００００００）とし、９Ｖを（１１１１１１）とする６ビット信号として送信する場合、ＡＧＣ電圧が５．２Ｖになっていたとすると、この５．２Ｖは（１００１０１）となり、ＯＳＤ信号は（赤）（マゼンタ）の２色の信号となる。
【００２４】
自動調整機１５は、（赤）（マゼンタ）から信号（１００）（１０１）を得、更にデコーダ１７によりデコードして信号（１００１０１）を得る。従って、送信されたＡＧＣ電圧の値は、５．２０３（＝９÷６４×３７）Ｖであると判断される。ＡＧＣ電圧の正規の値が４．５Ｖであったとすると、自動調整機１５は、赤外線発光部１８からテレビジョン受像機１０の赤外線受光部１４にフィードバック信号を送り、ＡＧＣ電圧を下げるように指示する。
【００２５】
このように、テレビジョン受像機１０と自動調整機１５との間で、双方向通信が行われ、テレビジョン受像機の自動調整が可能になる。
【００２６】
上記のＡＧＣの自動調整においては、表示部１１に同時に表示可能な２８８個のキャラクタの内、２個のキャラクタを使用しているが、他の２６６個のキャラクタを利用することにより、様々の制御を実行することができる。
【００２７】
また、映像処理装置１０にも同様のＲＧＢ選別機能及び赤外線発光機能を備えることにより、様々の装置と双方向通信を行うことができる。
【００２８】
尚、映像処理装置１０がテレビジョン受像機の場合、データ処理装置１５にＣＲＴ画面に焦点が合うようなレンズを備え、外光の影響を軽減することが好ましい。
【００２９】
以上述べたように、本実施例のシステムは、Ｒ，Ｇ，Ｂの３色を利用した光通信システムの一種であり、単色光通信の場合の３倍の情報を送信することができる。従って、テレビジョン受像機、各種ディスプレイの自動調整を効率良く行うことができる。また、様々なシステムとテレビジョン受像機との間の双方向通信、例えば、テレビのリモコンにより、電話をかけたり、エアコンを調整したり、ステレオを操作することが可能である。
【００３０】
【発明の効果】
本発明では、受光された光の色を分析して送信データを再生し、従ってパラレルデータの送受信が可能になる。
【００３１】
また本発明では、受光した光のレベルを所定の値と比較するので、表示された図形の光であるか、または、外部光であるかを識別することができる。
【００３２】
さらにまた本発明では、外部光のレベルの平均値を受光レベルから差し引き、外部光の影響を最小にして、データ伝送の信頼性を向上させることができる。
【００３３】
さらにまた本発明では、３ビットデータの各ビットをＲ，Ｇ，Ｂに対応させ、従って、３ビットパラレルデータの送信が可能になる。
【図１】
0003704171.tif 000002
【図２】
0003704171.tif 000003
【図３】
0003704171.tif 000004
【図４】
0003704171.tif 000005
【図５】
0003704171.tif 000006
【図６】
0003704171.tif 000007
【図７】
0003704171.tif 000008
【図８】
0003704171.tif 000009
【図９】
0003704171.tif 000010
【図１０】
0003704171.tif 000011